(57)【特許請求の範囲】
【請求項１】
エアの給排気により膨張及び収縮を行うエアマット本体（１Ａ）と、エアマット本体にエアチューブで連結されてエアマット本体にエアを給排気する給排気手段（７）と、エアマット本体とエアチューブとの間に配置されたコネクタ（１０）とを備えたエアマットにおいて、
エアマット本体には給排気手段により給排気動作がなされる複数のエアセル群（２；３）を備え、
コネクタ（１０）は給排気手段側に位置する給排側嵌合部（１１）とエアマット本体側に位置するマット側嵌合部（１２）とよりなり、
給排側嵌合部（１１）は、給排気手段側に開口した給排側本体部（１１Ａ）と、給排側本体部の内部と外部とにわたって設けられかつ複数のエアセル群に対応する本数よりなる複数本の給排側エアチューブ接続筒（１３）と、給排側本体部の上下に対向形成されかつそれぞれ係合突起（１６）を有した弾性結合片（１７）とよりなり、
給排側エアチューブ接続筒（１３）における給排側本体部の内部に設けられた部分は複数のエアセル群に対応する本数よりなる複数本の給排気手段側エアチューブ（６）を個別に接続する部分であり、
マット側嵌合部（１２）は、エアマット本体側及び給排気手段側に開口したマット側本体部（１２Ａ）と、マット側本体部のエアマット本体側に位置する部分の内部に設けられかつ複数のエアセル群に対応する本数のマット側エアチューブ（５）を個別に接続する複数本のマット側エアチューブ接続筒（１４）と、マット側本体部の給排気手段側に位置する部分の上下面に形成された係合孔（２１）とよりなり、
マット側エアチューブ接続筒（１４）の内径が給排側エアチューブ接続筒（１３）の内径より大きくなっており、
給排側嵌合部（１１）とマット側嵌合部（１２）との連結時、給排側嵌合部（１１）がマット側本体部（１２Ａ）の給排気手段側の開口から内部に嵌合して、上下一対の弾性結合片（１７）の各係合突起（１６）がマット側嵌合部（１２）の各係合孔（２１）に係合する一方、給排側エアチューブ接続筒（１３）の給排側本体部（１１Ａ）より外部に突出する部分がマット側エアチューブ接続筒（１４）の内側に嵌合して連結されることを特徴とするエアマット。
【発明の詳細な説明】
【０００１】
【発明の属する技術分野】
本発明は、エアが給排気されて膨張、収縮されるエアマット、特にエアの急速排気が可能なコネクタを有するエアマットに関する。
【０００２】
【従来の技術】
エアマット本体例えば複数のエアセルを並列配置したエアマット本体の各エアセルに給排気するために、エアポンプとエアマット本体との間にエアチューブが連結されるとともに、エアマット本体側にコネクタを配した構造は、エアマッサージ機を開示した特開2000-262574号公報に記載されている。またエアマット本体のエアを急速排気するために排気専用手段、すなわちエアマットに取り付けられた開口部材とこれに着脱自在に取り付けられ開口部材を開放または閉鎖する蓋部材を設けた構造も既に提案されている（特開2001-183335号公報）。エアマットの急速排気構造は、例えば病院の集中治療室等において、患者に緊急に心臓マッサージを施す場合に有効である。すなわち患者の下にエアマットを敷いていると、マッサージすべく心臓を押圧した際、患者の体もまた圧力に応じて下方に移動してしまい、心臓に押圧力がかからないのである。このような事態に備えて、エアマット本体に急速排気手段が設けられる。
【０００３】
【発明が解決しようとする課題】
本発明は、このような事情を考慮してなされたもので、コネクタの取り外しによりエアセルの急速排気が可能なエアマットを提供するものである。
【０００４】
【課題を解決するための手段】
本発明は、エアの給排気により膨張及び収縮を行うエアマット本体と、エアマット本体にエアチューブで連結されてエアマット本体にエアを給排気する給排気手段と、エアマット本体とエアチューブとの間に配置されたコネクタとを備えたエアマットにおいて、エアマット本体には給排気手段により給排気動作がなされる複数のエアセル群を備え、コネクタは給排気手段側に位置する給排側嵌合部とエアマット本体側に位置するマット側嵌合部とよりなり、給排側嵌合部は、給排気手段側に開口した給排側本体部と、給排側本体部の内部と外部とにわたって設けられかつ複数のエアセル群に対応する本数よりなる複数本の給排側エアチューブ接続筒と、給排側本体部の上下に対向形成されかつそれぞれ係合突起を有した弾性結合片とよりなり、給排側エアチューブ接続筒における給排側本体部の内部に設けられた部分は複数のエアセル群に対応する本数よりなる複数本の給排気手段側エアチューブを個別に接続する部分であり、マット側嵌合部は、エアマット本体側及び給排気手段側に開口したマット側本体部と、マット側本体部のエアマット本体側に位置する部分の内部に設けられかつ複数のエアセル群に対応する本数のマット側エアチューブを個別に接続する複数本のマット側エアチューブ接続筒と、マット側本体部の給排気手段側に位置する部分の上下面に形成された係合孔とよりなり、マット側エアチューブ接続筒の内径が給排側エアチューブ接続筒の内径より大きくなっており、給排側嵌合部とマット側嵌合部との連結時、給排側嵌合部がマット側本体部の給排気手段側の開口から内部に嵌合して、上下一対の弾性結合片の各係合突起がマット側嵌合部の各係合孔に係合する一方、給排側エアチューブ接続筒の給排側本体部より外部に突出する部分がマット側エアチューブ接続筒の内に嵌合して連結されることを特徴とする。かかる構成において、コネクタにおける給排側嵌合部とマット側嵌合部とを互いに外すことにより、エアマット本体内のエアは、内径の大きいマット側エアチューブ接続筒から急速に排気される。
【０００５】
【発明の実施の形態】
以下、本発明の実施形態を図面に基づき説明する。
【０００６】
図１において、１は、エアマットを示し、空気非透過性を有する可撓性シートにて細長い袋状に形成された第１エアセル群２及び第２エアセル群３よりなる。第１エアセル群２、第２エアセル群２は、端部にて互いに連通しており、Ｌ型ジョイント４を介してエアマット本体１Ａ側のエアチューブ５およびポンプ側のエアチューブ６を経て、エアポンプ７に接続されている。なお上記Ｌ型ジョイント４はＰＶＣ等の樹脂より形成され、図２に示すように薄い円盤部８とその下部に延出するＬ字管９とよりなり、円盤部８の下面を端のエアセル２ａ，３ａ内でその内面に高周波溶着あるは接着等にてエアマット１側に装着固定されている。
【０００７】
第１及び第２エアセル群２，３は、エアマット１の前後方向において交互に配置され、エアポンプ７により任意の周期で交互に給排気動作がなされる。なお、第１，第２エアセル群２，３内は、排気状態においても、給気状態の約１／２の空気圧に保たれており、給気状態と排気状態の空気圧の差が極端に大きくならないよう調節される。また給気状態の空気圧もまた、感触を硬くしたり或いは柔らかくする等患者の要望に応じて任意に調節される。
【０００８】
エアマット１は、ナイロン等の織布の片面又は両面に熱可塑性樹脂シート例えばＰＶＣ（ポリ塩化ビニール）を被覆（ラミネート処理）し、空気流通を遮断した布を２枚重ね合わせ、エアセル境界線Ｐを高周波溶着等により接合して形成される。なお、織布の片面のみＰＶＣラミネートした布を使用した場合には、ラミネート処理面が接合面とされることはいうまでもない。
【０００９】
ここで、エアマット本体１Ａ側の上記エアチューブ５は、ポンプ等、給排気駆動部側の上記エアチューブ６と、コネクタ１０によって、着脱自在に連結されるものとなっている。
【００１０】
上記コネクタ１０は、樹脂製部材より形成された図３に示すような給排気手段側に位置する給排側嵌合部を構成する一の嵌合部としての雄部１１と、エアマット本体側に位置するマット側嵌合部を構成する他の嵌合部としての雌部１２とよりなる。雄部１１には上記給排気駆動部側のエアチューブ６が接続される給排側エアチューブ接続筒としてのエアチューブ接続筒１３が一体形成され、雌部１２には上記エアマット本体１Ａ側のエアチューブ５が接続されるマット側エアチューブ接続筒としてのエアチューブ接続筒１４が一体形成されている。そして雄部１１と雌部１２の連結時、図４に示すように、雄部１１側のエアチューブ接続筒１３が雌部１２側のエアチューブ接続筒１４の内側に嵌合して連結される。１５は雄部１１側のエアチューブ接続筒１３にそれぞれ嵌着したゴム製のＯリングである。
【００１１】
また雄部１１側にはそれぞれ係合突起１６を有した弾性結合片１７が上下に対向形成されている。それぞれの弾性結合片１７は給排側本体部としての雄部本体１１Ａの上下面の略中央部にＬ字状に一体形成されて、矢印ｂに示す内側方向の弾性力が付与される。また弾性結合片１７は、その長く突出した自由端を摘み部１８として、雌部１２との係合を解除するための上述した矢印ｂ方向の押圧操作を可能としている。
【００１２】
一方雌部１２側には上記各弾性結合片１７の各係合突起１６とそれぞれ係合する係合孔２１が、マット側本体部としての本体１２Ａの上下面に形成されている。
【００１３】
また雄部１１の本体１１Ａの側部にガイド用突起２２が突設形成され、一方雌部１２の本体１２Ａの方には、上記ガイド用突起２２を摺動自在に嵌め入れるガイド用凹部２３がその側面に形成されている。さらに雄部１１の本体１１Ａ上面には、雌部１２との嵌合時、上辺２４ｃが雌部１２の本体１２Ａ内面に当接して雄部１１の雌部１２に対する位置決めをなす一対のリブ２４が突設されている。
【００１４】
上記構成のコネクタ１０がその雄部１１と雌部１２とが嵌合すると、上下一対の弾性結合片１７の各係合突起１６が雌部１２側の各係合孔２１に内側から弾性的に係合し、抜け止め固定される。この時、雄部１１のエアチューブ接続筒１３は、図４に示すように雌部１２のエアチューブ接続筒１４内に嵌まり込み接続される。
【００１５】
ここで、図４に示すように、雌部１２側のエアチューブ接続筒１４の内径Ｄを、雄部１１側のエアチューブ接続筒１３の内径ｄより大きくしている。したがって、エアマット１内の空気をエアポンプ７により排気するときは、狭い内径ｄの雄部１１のエアチューブ接続筒１３からであるのに対し、コネクタ１０を外した場合には、それより広い径Ｄの雌部１２側のエアチューブ接続筒１４からとなるため、排気空気量が多く、急速に排気される。要するに雄部１１側のエアチューブ接続筒１３は一定内径ｄの接続筒であるが、雌部１２側のエアチューブ接続筒１４は、例えば雄部１１側のエアチューブ接続筒１３の内径ｄが３ｍｍに対し、雌部１２側のエアチューブ接続筒１４の接続口部１４ｘの内径Ｄを１０ｍｍとするような約三倍ほどに大きく設定している。エアチューブ６の内径が約６〜７ｍｍの標準的なものであるときは、エアチューブ接続筒１３（内径３ｍｍ），１４（内径１０ｍｍ）の比は、上記の如く約３倍程度であれば十分であるが、約２倍程度でも、その効果は得られる。従ってその比は、少なくとも約２倍以上が好ましい。なお、エアチューブ接続筒１４は、実際には、図４において左側の口部１４ｙの端より少し内側に入った位置で雄部１１側のエアチューブ接続筒１３の外径に一致する最小の内径になるように漸次径小となり、それ以降、上記接続口部１４ｘ側に向かい漸次径大になり右側口端で最大内径Ｄになるようなテーパー状の内面１４Ｔに形成している。
【００１６】
これによって、エアマット１の排気をエアポンプ７によらないで成す時、コネクタ１０を外す。すなわちコネクタ１０の雄部１１の上下の摘み部１８を内側（矢印ｂ）に押縮操作して、弾性結合片１７の係合突起１６を雌部１２の係合孔２１から脱し引き抜けば、雌部１２は雄部１１から外れて、エアマット１は外部と連通しエアマット１から直に排気可能になる。このとき、エアマット１内の空気は、その空気出口であるエアチューブ接続筒１４の接続口部１４ｘが大きいので、急速に排気されるようになる。一般的な大きさのエアマットにおいて、エアポンプ７側から排気すれば、給排気手段側のエアチューブ６の内径が高々６〜７ｍｍ程度であることから、排気に約５分程度の時間がかかるのに対し、上記コネクタを使えば５〜６秒で排気が完了する。なお、上記給排気手段側のエアチューブ６に、もっと太い（上述した６〜７ｍｍ以上）径のものを用いれば、エアポンプ７による排気も可能であるが、実際の給排気時にそのような太いエアチューブが曲がりうねりながらエアマット１にまで延びることは、使用勝手性に優れないので、細いエアチューブの方が好ましく、それが採用されるのが現状である。こう言った現状では、エアポンプ７側のエアチューブ６よりの排気は時間がかり、不利となるが、本発明のエアマット側の口部径がエアポンプ側の口部径より大きい構造のコネクタ１０によって、細いエアチューブ６であっても、急速排気が可能になる。
【００１７】
こうしてコネクタ１０さえ外せば直ぐに排気できるエアマット１であれば、エアマット１上の救急患者に心臓マッサージをすべく心臓を押圧した際、患者の体は排気状態のエアマット１に横たえられているので、押圧力にて患者の体が下方に移動しなくなり、心臓に押圧力が十分にかかり、心臓マッサージを確実かつ迅速に行うことができるようになる。
【００１８】
【発明の効果】
本発明によれば、エアマット本体には給排気手段により給排気動作がなされる複数のエアセル群を備え、コネクタは給排気手段側に位置する給排側嵌合部とエアマット本体側に位置するマット側嵌合部とよりなり、給排側嵌合部は、給排気手段側に開口した給排側本体部と、給排側本体部の内部と外部とにわたって設けられかつ複数のエアセル群に対応する本数よりなる複数本の給排側エアチューブ接続筒と、給排側本体部の上下に対向形成されかつそれぞれ係合突起を有した弾性結合片とよりなり、給排側エアチューブ接続筒における給排側本体部の内部に設けられた部分は複数のエアセル群に対応する本数よりなる複数本の給排気手段側エアチューブを個別に接続する部分であり、マット側嵌合部は、エアマット本体側及び給排気手段側に開口したマット側本体部と、マット側本体部のエアマット本体側に位置する部分の内部に設けられかつ複数のエアセル群に対応する本数のマット側エアチューブを個別に接続する複数本のマット側エアチューブ接続筒と、マット側本体部の給排気手段側に位置する部分の上下面に形成された係合孔とよりなり、マット側エアチューブ接続筒の内径が給排側エアチューブ接続筒の内径より大きくなっており、給排側嵌合部とマット側嵌合部との連結時、給排側嵌合部がマット側本体部の給排気手段側の開口から内部に嵌合して、上下一対の弾性結合片の各係合突起がマット側嵌合部の各係合孔に係合する一方、給排側エアチューブ接続筒の給排側本体部より外部に突出する部分がマット側エアチューブ接続筒の内に嵌合して連結されるので、弾性結合片を操作してその係合突起を係合孔から脱し引き抜いてコネクタを外せば、エアマット本体の複数のエアセル群内の空気を内径の大きいマット側エアチューブ接続筒から急速に排気させることができる。これにより、エアマット上の救急患者に心臓マッサージ等を施す時、患者の体が沈まず心臓に押圧力がしっかりとかかり、緊急かつ万全に救急措置を行えるようになる。また、このような緊急にエアマットを排気状態にすることが、別途エア口を開閉する蓋部材などを設ける等従来のような複雑な構造、手段を取らずとも可能になり、安価で、使い勝手性の良いものとなる。
【図面の簡単な説明】
【図１】コネクタによってポンプよりの給排気チューブと連結される本発明に係るエアマットの斜視図である。
【図２】エアをエアマットに給排気させるためのＬ型ジョイントの構造図である。
【図３】コネクタを構成する雄部と雌部の分離時の斜視図である。
【図４】雄部と雌部とが嵌合したコネクタ結合状態を示す上記図３におけるIV−IV線断面図である。
【符号の説明】
１  エアマット
１Ａ  エアマット本体
２，３  第１及び第２エアセル群
４  Ｌ型ジョイント
５  エアマット本体側のエアチューブ
６  給排気駆動手段側のエアチューブ
７  エアポンプ
１０  コネクタ
１１  雄部
１２  雌部
１３，１４  エアチューブ接続筒
１４ｘ  接続口部
１６  係合突起
１７  弾性結合片
１８  摘み部
２１  係合孔
【図１】
0004972250.tif 000002
【図２】
0004972250.tif 000003
【図３】
0004972250.tif 000004
【図４】
0004972250.tif 000005